【事件の表示】
　平成６年特許願第４０２８８号「パチンコ機の入賞装置」拒絶査定に対する審判事件（平成８年６月１１日出願公開、特開平８−１５０２４０）について、次のとおり審決する。
【結論】
　本件審判の請求は、成り立たない。
【理由】
（手続きの経緯、本願発明）
　本願は昭和６２年１月３０日に出願した特願昭６２−１８５１７号の一部を平成６年１月３１日に新たな特許出願としたものであって、その発明は、出願当初の明細書と図面及び平成１１年４月２７日付け手続補正書の記載からみて、平成１１年４月２７日付け該手続補正書の特許請求の範囲に記載された下記のとおりのものと認める。
「【請求項１】遊技板に添わせる取付板に開設する窓に背後から箱枠を臨ませ、その上部若しくは左右に設ける飛入口を通して飛入する飛入球を上記箱枠内部に受け入れられるようにする一方、前方に向けて下り勾配にする前記箱枠の底板の前縁部に特別入賞口と通常入賞口とを横列に配置し、且つ上記特別入賞口の飛入通路に検出スイッチを備え、該検出スイッチが通過入賞球を検出したとき前記飛入口に備える開閉扉を再度開放するようにしてなるパチンコ機の入賞装置において、前記特別入賞口は入口を前記底板の前縁部に臨ませ前記取付板の前方に突き出す如く設けて該入口を前面側から視覚可能にすると共に、該特別入賞口の入口に寄り添わせて前記検出スイッチを設備し、前記入賞球が該特別入賞口の入口を通過するのと同時に該入賞球を検出し、前記開閉扉を再開放するようにしてなることを特徴としたパチンコ機の入賞装置。」
（引用例）
　これに対して、当審の拒絶の理由において引用された実願昭５９−１４７３３１号（実開昭６１−６３２７８号）のマイクロフィルム（以下、「引用例１」という。）には、「一方、遊技部７内を流下する途中で打球が第１特定入賞口９又は第２特定入賞口１０に入ると、各特定入賞口９、１０の流路に臨ませた各特定入賞検出器（図示せず）からの信号を受けた電気的制御装置１１が変動入賞装置８を打球が入賞しやすい状態に変換する。
　変動入賞装置８は遊技板５表面に取付ける取付け基板１４の上部に前面が前飾り１５で塞がれた中央の天入賞口１６と、左右の点横入賞口１７、１７とを有し、各入賞口１６、１７の流下端部を遊技盤５の裏面の集合樋に臨ませ上部入賞部１８を構成する。
　また、基板１６の略中央には左右に鍔上の縁部１９、１９を有し中央部分を窪ませて前面開放の凹室２０を形成する。そして、左右の縁部１９、１９には左右の可動片２１、２１を支軸２２で対向状に軸着し、該支軸２２を基板１４の裏側に突出させ、該支軸２２の端部にリンク機構を介して電気的駆動源、例えば電磁ソレノイド２３を連結する。」（第７頁第１〜２０行、第１〜３図）、「下側空間部２０ｂの底部２７は凹室２０の後面から前方に向って緩く下り傾斜し、傾斜下端には前面が装飾板２８で塞がれた中央の継続入賞口２９と、該継続入賞口２９の左右の一般入賞口３０、３０とを並べて開設し、各入賞口２９、３０には両可動片２１、２１の開閉作動時に可動片２１の内端部と飾り部２５の前部との間に生じる隙間から落下した打球が入賞することとなる。」（第８頁第１４行〜第９頁第２行、第１〜３図）、「又、電磁ソレノイド２３が励磁すると、リンク機構が支軸２２に回転力を伝達し、両可動片２１、２１を、第１図中、一点鎖線で示すように浅いＶ字状に傾動し、打球を受け入れ易い第２状態に変換する。
　上記の様に構成した変動入賞装置８を遊技盤５に取付けるには、遊技盤５内の遊技部７のほゞ中央に、変動入賞装置８の後部が嵌入できる大きさの開口部を設け、該開口部に変動入賞装置８の後部を嵌め入れ、基板１４表面から打込むビスを遊技盤５に止め付ければよい。」（第１１頁第８〜１８行、第１〜３図）、「図面の実施例においては、打球が第１特定入賞口９又は第２特定入賞口１０に入ると特定入賞検出器が該打球を検出して電気的制御装置１１に信号を送り、該信号を受けた電気的制御装置１１が電磁ソレノイド２３を励磁する。そして、電磁ソレノイド２３が励磁されると、リンク機構を介して両可動片２１、２１が浅いＶ字状に傾動し、打球を受け入れ易い第２状態に変換する。変動入賞装置８が第２状態に変換すると、各可動片２１、２１が遊技部７を流下してくる打球を広い範囲で受け止め、受け止めた打球を仕切板２４上に案内する。」（第１２頁第５〜１５行、第１〜３図）、「そして、打球が継続入賞口２９に入れば検出器により検出され、例えば電気的制御装置１１が変動入賞装置８を繰り返し（例えば１８回）第１状態から第２状態に変換したり、第２状態を所定時間（例えば３０秒間）継続するとともに賞球を排出する。」（第１５頁第８〜１３行、第１〜３図）、「以上の本考案によれば、両可動片の後方に前面開放の凹室を設けているので、両可動片により受け止められた打球が凹室内に導かれて、下部空間部の底面を転動しながら、傾斜下端に臨むいずれかの入賞口に流入するのかを、遊技者が見ながら楽しむことができ、変化に富む遊技内容とすることができる。」（第２０頁第１８行〜第２１頁第４行）と記載されている。
　同じく引用された実願昭６０−８１２５号（実開昭６１−１２４６７４号）のマイクロフィルム（以下「引用例２」という。）には、「装置を遊技盤１に取り付けるための取付基板５０の中央には、開閉可能な変動入賞装置受口５１を収納するため、横方向に細長い開口部５０ａが形成されている。また、この開口部５０ａのすぐ下には、窓部５０ｂが形成されている。窓部５０ｂには透明プレートによって閉塞されるようにし、内部で玉詰まり等の異常が発生した場合、遊技者に一見でわかるようになっている。一方、上記開口部５０ａ内には、両端に旋回範囲を規制するとともに、流下する打球をアウト口に導く傾斜面を設けた扇状のサイドガイド５１ａを有するパネル状の変動入賞装置受口５１が、下端に設けられた旋回軸５１ｂ（第５図参照）によって前後方向に回動可能に取り付けられている。」（第１２頁第２〜１５行、第４、５、９図）、「上記裏板５２の前面には、その中央に形成された開口部５４ｂの両側縁に一対の案内板５２ｃが形成され、この案内板５２ｃによって包囲枠５４の内側の整理室５８の上部が特定入賞領域と一般入賞領域とに分離される。そして、上記裏板５２の背面の開口部５２ｂの上端に沿って形成された支持突起５２ｄに、ピン５９によって上端を支持された感知片６０が開口部５２ｂ内に回動自在に垂下され、特定入賞領域に突出するように付勢される。これによって、特定入賞領域に入賞した打球は、一対の案内板５２ｃに案内されて後方の開口部５２ｂから前方へ突出している上記感知片６０を後方へ回動させてから下方のカウント検出器３１へ向かって流下し、ここで一般入賞領域へ入賞した打球とともに一個宛検出され計数される。
　上記感知片６０は、裏板５２の背面に固着された支持台６１に装着されるマイクロスイッチのような特定条件構成検出器３２の弾性力を有するアクチュエータ３２ａによって、開口部５２ｂより前方へ突出するように付勢されている。そのため、特別入賞領域に入賞した打球がその重量で感知片６０を後方へ押圧すると、アクチュエータ３２ａが作動して特定条件構成検出器３２が検出信号を発生し、特定条件が成立する。」（第１５頁１４行〜第１６頁第１８行、第４、５、９図）、「そして、入賞球が感知片６０を押圧したときに特定条件構成検出器３２によって発生される検出信号によって特定条件構成表示部２９が点灯されるようになっている。これによって遊技者は後述の継続権利が付与される特定条件が成立したことを知ることができる。」（第１７頁第１１〜１６行、第４、５、９図）と記載されている。
（対比・判断）
　本願特許請求の範囲に記載される発明（以下「本願発明」という。）と引用例１に記載される発明（以下「引用発明」という。）とを比較すると、引用発明における「遊技盤５」、「取付け基板１４」、「凹室２０」、「下側空間部２０ｂの底部２７」、「傾斜下端」、「継続入賞口２９」、「一般入賞口３０」、「検出器」、「打球」、「可動片２１」、「変動入賞装置８」が、本願発明における「遊技板」、「取付板」、「箱枠」、「箱枠の底板」、「傾斜下端」、「特別入賞口」、「通常入賞口」、「検出スイッチ」、「飛入球及び通過入賞球」、「開閉扉」、「入賞装置」に相当することは明白である。また、引用発明において、可動片２１、２１が浅いＶ字状に傾動することにより（凹室２０内に）打球を受け入れ易い第２状態に変換することにより形成される開口が、本願発明における飛入口に相当することも明白である。さらに、第１、３図及び明細書第２１頁第１８行〜２１頁第４行の記載からみて、継続入賞口２９は、その入口を基板１４の前方に突き出す如く設けられ、視覚可能とされていることも明白である。したがって、両者は、遊技板に添わせる取付板に開設する窓に背後から箱枠を臨ませ、その上部若しくは左右に設ける飛入口を通して飛入する飛入球を上記箱枠内部に受け入れられるようにする一方、前方に向けて下り勾配にする前記箱枠の底板の前縁部に特別入賞口と通常入賞口とを横列に配置し、且つ上記特別入賞口の飛入通路に検出スイッチを備え、該検出スイッチが通過入賞球を検出したとき前記飛入口に備える開閉扉を再度開放するようにしてなるパチンコ機の入賞装置において、前記特別入賞口は入口を前記底板の前縁部に臨ませ前記取付板の前方に突き出す如く設けて該入口を前面側から視覚可能にするようにしてなるパチンコ機の入賞装置である点で一致し、本願発明が、特別入賞口の入口に寄り添わせて検出スイッチを設備し、入賞球が該特別入賞口の入口を通過するのと同時に該入賞球を検出し、開閉扉を再開放しているのに対して、引用発明は、打球（「入賞球」）が継続入賞口２９（「特別入賞口」）に入れば、単に、これを検出器（「検出スイッチ」）により検出し、例えば変動入賞装置８を繰り返し第１状態から第２状態に変換している（「開閉扉を再開放している」）点で相違する。
　上記相違点について検討する。引用例２には、「特定条件構成検出器３２の弾性力を有するアクチュエータ３２ａによって、裏板の中央に形成され、かつその前面両側縁に一つの案内板５２ｃが形成された開口部５２ｂより前方へ突出するように付勢されている感知片６０を、前記一対の案内板５２ｃにより一般入賞領域と分離されてる特定入賞領域に入賞した打球がその重量で後方へ押圧すると、アクチュエータ３２ａが作動して特定条件構成検出器３２が検出信号を発生する」構成が開示されている。すなわち、特定入賞領域に入賞した打球は、感知片６０を押圧しながら、変動入賞装置受口５１、一対の案内板５２ｃ及び裏板５２で区画される開口部を通って整理室５８下部に流下するものであり、前記感知片６０は、前記開口部に寄り沿って設けられている。ところで、感知片６０は、本願発明における検出スイッチに、変動入賞装置受口５１、一対の案内板５２ｃ及び裏板５２で区画される開口部は、本願発明における特別入賞口の入口に相当することは明白であるから、引用例２には、本願発明における、特別入賞口の入口に寄り添わせて検出スイッチを設備し、入賞球が特別入賞口の入口を通過するのと同時に該入賞球を検出することを開示しているものといえる。してみれば、引用発明における検出手段を、引用例２に記載される検出手段に倣って、本願発明のように構成することは、当業者であれば容易に想到し得るものと認められる。また、その奏する作用効果も、引用発明及び引用例２に記載される発明から予測される作用効果を越えるものは認められない。
（むすび）
　以上のとおりであるから、本願発明は、引用例１、２に記載された発明に基づいて、当業者が容易に発明をすることができたものと認められ、特許法第２９条第２項の規定により特許を受けることはできない。
　よって、結論のとおり審決する。